(57)【特許請求の範囲】
【請求項１】
装置であって、
第１のトランシーバの第１の送信経路に結合された第１の電力増幅器と、
前記第１のトランシーバの第１の受信経路に結合された第１の低ノイズ増幅器と、
第２のトランシーバの第２の送信経路に結合された第２の電力増幅器と、
前記第２のトランシーバの第２の受信経路に結合された第２の低ノイズ増幅器と、
少なくとも３つの状態で設定可能な第１のスイッチと、前記第１のスイッチは、第１の状態にある間、前記第２の低ノイズ増幅器を前記第１の電力増幅器の出力に選択的に結合するように構成され、ここにおいて、前記第１のスイッチは、第２の状態にある間、ワイヤレスネットワークを通して信号を送信するために前記第１の電力増幅器を第１のアンテナに結合するように構成され、前記第１のスイッチは、第３の状態にある間、前記第２の低ノイズ増幅器を前記第１のアンテナに結合するように構成される、
前記第２の電力増幅器の出力を受けるように前記第１の低ノイズ増幅器を選択的に結合するように構成された第２のスイッチと
を備える装置。
【請求項２】
前記第１のトランシーバは、複数のトランシーバを備える第１のアレイに含まれ、前記第２のトランシーバは、複数のトランシーバを備える第２のアレイに含まれる、請求項１に記載の装置。
【請求項３】
前記第１の電力増幅器は、前記第１の送信経路を介して、前記第１のアンテナを通した信号送信を可能にするために前記第１のアンテナに選択的に結合され、前記第２の低ノイズ増幅器は、前記第２の受信経路を介して、前記第１のアンテナを通した信号受信を可能にするために前記第１のアンテナに選択的に結合される、請求項１に記載の装置。
【請求項４】
前記第１の電力増幅器及び前記第２の低ノイズ増幅器は、前記第１のスイッチを介して前記第１のアンテナに選択的に結合されるように構成され、前記第１の低ノイズ増幅器及び前記第２の電力増幅器は、前記第２のスイッチを介して第２のアンテナに選択的に結合されるように構成される、請求項１に記載の装置。
【請求項５】
ループバックテストは、前記第１の電力増幅器の前記出力を受けるように前記第２の低ノイズ増幅器が結合されると、可能になる、請求項１に記載の装置。
【請求項６】
ループバックテストは、前記第２の電力増幅器の前記出力を受けるように前記第１の低ノイズ増幅器が結合されると、可能になる、請求項１に記載の装置。
【請求項７】
前記第１の電力増幅器の入力端子に結合され、かつ、前記第１の電力増幅器の出力端子に結合された第１のバイパス回路と、
前記第２の低ノイズ増幅器の入力端子に結合され、かつ、前記第１の低ノイズ増幅器の出力端子に結合された第２のバイパス回路と
を更に備え
ループバックテスト中、前記第１のバイパス回路及び前記第２のバイパス回路は、利得測定を可能にするために選択的にイネーブルにされる、
請求項１に記載の装置。
【請求項８】
前記第１のバイパス回路は、第１のバイパススイッチを備え、前記第２のバイパス回路は、第２のバイパススイッチを備える、請求項７に記載の装置。
【請求項９】
前記第１の状態は、ループバック状態を備え、前記第２の状態は、送信状態を備え、前記第１のスイッチの前記第３の状態は、受信状態を備える、請求項１に記載の装置。
【請求項１０】
前記第１のスイッチ及び前記第２のスイッチは、３状態スイッチを備え、前記第２のスイッチは、第１の状態にある間、前記第１の低ノイズ増幅器を前記第２の電力増幅器の出力に結合するように構成され、前記第２のスイッチは、第２の状態にある間、前記第２の電力増幅器を第２のアンテナに結合するように構成され、前記第２のスイッチは、第３の状態にある間、前記ワイヤレスネットワークを通して送信された信号を受信するために前記第１の低ノイズ増幅器を前記第２のアンテナに結合するように構成される、請求項１に記載の装置。
【請求項１１】
方法であって、
第１の状態において第１のスイッチを介して、第１のトランシーバの第１の電力増幅器及び第２のトランシーバの第２の低ノイズ増幅器の第１のループバックテストを可能にするために、前記第２の低ノイズ増幅器を前記第１の電力増幅器の出力に結合することと、ここにおいて、前記第１のスイッチは、少なくとも３つの状態で設定可能であり、前記第１のスイッチは、第２の状態にある間、ワイヤレスネットワークを通して信号を送信するために前記第１の電力増幅器を第１のアンテナに結合し、前記第１のスイッチは、第３の状態にある間、前記第２の低ノイズ増幅器を前記第１のアンテナに結合する、
前記第２のトランシーバの第２の電力増幅器及び前記第１のトランシーバの第１の低ノイズ増幅器の第２のループバックテストを可能にするために、前記第２の電力増幅器の出力を受けるように前記第１の低ノイズ増幅器を選択的に結合することと
を備える方法。
【請求項１２】
第１の電力センサを使用して、前記第１のループバックテスト中に、前記第１の電力増幅器の特性を決定することと、
第２の電力センサを使用して、前記第１のループバックテスト中に、前記第２の低ノイズ増幅器の特性を決定することと
を更に備える、請求項１１に記載の方法。
【請求項１３】
前記第２の低ノイズ増幅器を前記第１のアンテナに結合することは、前記第１のアンテナを介した信号受信を可能にする、請求項１１に記載の方法。
【請求項１４】
前記第１の低ノイズ増幅器は、第１の状態にある間、第２のスイッチを介して前記第２の電力増幅器の出力に結合され、前記第２のスイッチは、３状態スイッチを備え、前記第２の電力増幅器は、第２の状態にある間、前記第２のスイッチを介して第２のアンテナに結合される、請求項１１に記載の方法。
【発明の詳細な説明】
【関連出願への相互参照】
【０００１】
[0001]本願は、２０１４年３月４日に出願された、共同所有された米国非仮特許出願第１４／１９６，７４３号の優先権を主張し、その内容は、その全文が参照により本明細書に明確に組み込まれる。
【技術分野】
【０００２】
[0002]本開示は一般に、アナログの組み込み式自己テストトランシーバに関する。
【背景技術】
【０００３】
[0003]技術の進歩は、より小型で、より強力なコンピュータデバイスをもたらした。例えば、小型で、軽量で、かつユーザによって容易に持ち運ばれるポータブルワイヤレス電話、携帯情報端末（ＰＤＡ）、及びページングデバイスのような、ワイヤレスコンピュータデバイスを含む様々なポータブルパーソナルコンピュータデバイスが現在存在している。より具体的には、セルラ電話及びインターネットプロトコル（ＩＰ）電話のようなポータブルワイヤレス電話は、ワイヤレスネットワークを通して音声及びデータパケットを通信することができる。更に、多くのこのようなワイヤレス電話は、その中に組み込まれる他のタイプのデバイスを含む。例えば、ワイヤレス電話は、デジタルスチールカメラ、デジタルビデオカメラ、デジタルレコーダ、及びオーディオファイルプレーヤも含み得る。また、このようなワイヤレス電話は、インターネットにアクセスするために使用されることができる、ウェブブラウザアプリケーションのようなソフトウェアアプリケーションを含む実行可能な命令を処理することができる。このように、これらのワイヤレス電話は、重要な計算能力を含み得る。
【０００４】
[0004]ワイヤレス電話は、トランシーバを使用して信号を送信及び受信し得る。トランシーバのフロントエンドは、複数の低ノイズ増幅器（信号受信用）及び複数の電力増幅器（信号送信用）を含み得る。送信プロパティ及び受信プロパティ（例えば、電力、ノイズ指数、線形性、利得、等）をテストするための組み込み式自己テスト（ＢｉＳＴ）メカニズムは、トランシーバのバックエンドに実装され得る。しかしながら、トランシーバのバックエンドにあるモデムは、トランシーバのフロントエンドにある増幅器の特性を決定することができないだろう。加えて、トランシーバは、ＢｉＳＴメカニズムがトランシーバのバックエンドに実装される場合、電力増幅器及び／又は低ノイズ増幅器を較正することができないだろう。
【図面の簡単な説明】
【０００５】
【図１】[0005]図１は、ワイヤレスシステムと通信しているワイヤレスデバイスを示す。
【図２】[0006]図２は、図１におけるワイヤレスデバイスのブロック図を示す。
【図３】[0007]図３は、アナログ組み込み式自己テスト（ＢｉＳＴ）を可能にするトポロジを有するトランシーバの例示的な実施形態を描写する図である。
【図４】[0008]図４は、アナログＢｉＳＴを可能にするトポロジを有するトランシーバのアンテナチェーンの例示的な実施形態を描写する図である。
【図５】[0009]図５は、アナログＢｉＳＴを可能にするトポロジを有するトランシーバの別の例示的な実施形態を描写する図である。
【図６】[0010]図６は、アナログＢｉＳＴを可能にするトポロジを有するトランシーバ６００の別の例示的な実施形態を描写する図である。
【図７】[0011]図７は、トランシーバ構成要素に対してアナログ組み込み式自己テストすることを可能にするための方法の例示的な実施形態を例示するフローチャートである。
【発明の詳細な説明】
【０００６】
[0012]以下に示される詳細な説明は、本開示の例示的な設計の説明を意図しており、本開示が実施される得る唯一の設計を表すことを意図していない。「例示的」という用語は、本明細書では、「例、事例、又は実例としての役割を果たす」という意味で使用される。「例示的」として本明細書で説明される任意の設計は、必ずしも、他の設計よりも好ましい又は有利であると解釈されるべきではない。詳細な説明は、本開示の例示的な設計の完全な理解を提供するために特定の詳細を含む。本明細書で説明される例示的な設計がこれらの特定の詳細なしに実施され得ることは、当業者には明らかであろう。いくつかの事例では、周知の構造及びデバイスが、本明細書で提示される例示的な設計の新規性を曖昧にしないために、ブロック図の形式で示される。
【０００７】
[0013]図１は、ワイヤレス通信システム１２０と通信しているワイヤレスデバイス１１０を示す。ワイヤレス通信システム１２０は、ロングタームエボリューション（ＬＴＥ（登録商標））システム、符号分割多元接続（ＣＤＭＡ）システム、モバイル通信のためのグローバルシステム（ＧＳＭ（登録商標））システム、ワイヤレスローカルエリアネットワーク（ＷＬＡＮ）システム、又は何らかの他のワイヤレスシステムであり得る。ＣＤＭＡシステムは、広帯域ＣＤＭＡ（ＷＣＤＭＡ（登録商標））、ＣＤＭＡ １Ｘ、進化型データ最適化（ＥＶＤＯ）、時分割同期ＣＤＭＡ（ＴＤ−ＳＣＤＭＡ）、又はＣＤＭＡの何らかの他のバージョンを実装し得る。簡潔さのために、図１は、２つの基地局１３０及び１３２と、１つのシステムコントローラ１４０とを含むワイヤレス通信システム１２０を示す。一般に、ワイヤレスシステムは、任意の数の基地局及び任意のセットのネットワークエンティティを含み得る。
【０００８】
[0014]ワイヤレスデバイス１１０は、ユーザ装置（ＵＥ）、モバイル局、端末、アクセス端末、加入者ユニット、局、等とも呼ばれ得る。ワイヤレスデバイス１１０は、セルラ電話、スマートフォン、タブレット、ワイヤレスモデム、携帯情報端末（ＰＤＡ）、ハンドヘルドデバイス、ラップトップコンピュータ、スマートブック、ネットブック、コードレス電話、ワイヤレスローカルループ（ＷＬＬ）局、ブルートゥース（登録商標）デバイス、等であり得る。ワイヤレスデバイス１１０は、ワイヤレスシステム１２０と通信し得る。ワイヤレスデバイス１１０はまた、ブロードキャスト局（例えば、ブロードキャス局１３４）からの信号、１つ又は複数のグローバルナビゲーション衛星システム（ＧＮＳＳ）における衛星（例えば、衛星１５０）からの信号、等を受信し得る。ワイヤレスデバイス１１０は、ＬＴＥ、ＷＣＤＭＡ、ＣＤＭＡ １Ｘ、ＥＶＤＯ、ＴＤ−ＳＣＤＭＡ、ＧＳＭ、８０２．１１、等の、ワイヤレス通信のための１つ又は複数の無線技術をサポートし得る。
【０００９】
[0015]図２は、図１のワイヤレスデバイス１１０の例示的な設計のブロック図を示す。この例示的な設計では、ワイヤレスデバイス１１０は、一次アンテナ２１０に結合されたトランシーバ２２０、二次アンテナ２１２に結合されたトランシーバ２２２、及びデータプロセッサ／コントローラ２８０を含む。トランシーバ２２０は、複数の周波数帯域、複数の無線技術、キャリアアリグレーション、等をサポートするために、複数（Ｋ個）の受信機２３０ｐａ〜２３０ｐｋ及び複数（Ｋ個）の送信機２５０ｐａ〜２５０ｐｋを含む。トランシーバ２２２は、複数の周波数帯域、複数の無線技術、キャリアアリグレーション、受信ダイバーシティ、複数の送信アンテナから複数の受信アンテナへの多入力多出力（ＭＩＭＯ）送信、等をサポートするために複数（Ｌ個）の受信機２３０ｓａ〜２３０ｓｌ及び複数（Ｌ個）の送信機２５０ｓａ〜２５０ｓｌを含む。
【００１０】
[0016]図２に示される例示的な設計では、各受信機２３０は、ＬＮＡ２４０及び受信回路２４２を含む。データ受信では、アンテナ２１０が、基地局及び／又は他の送信機局から信号を受信し、受信ＲＦ信号を供給し、それは、アンテナインターフェース回路２２４を通じてルーティングされ、入力ＲＦ信号として、選択された受信機に提示される。アンテナインターフェース回路２２４は、スイッチ、デュプレクサ、送信フィルタ、受信フィルタ、整合回路、等を含み得る。以下の説明は、受信機２３０ｐａが、選択された受信機であると想定する。受信機２３０ｐａ内では、ＬＮＡ２４０ｐａは、入力ＲＦ信号を増幅し、出力ＲＦ信号を供給する。受信回路２４２ｐａは、出力ＲＦ信号をＲＦからベースバンドにダウンコンバートし、このダウンコンバート信号を増幅及びフィルタリングし、アナログ入力信号をデータプロセッサ２８０に供給する。受信回路２４２ｐａは、ミキサ、フィルタ、増幅器、整合回路、発振器、局部発振器（ＬＯ）発生器、位相同期回路（ＰＬＬ）、等を含み得る。トランシーバ２２０及び２２２内の残りの各受信機２３０は、受信機２３０ｐａと類似した方法で動作し得る。
【００１１】
[0017]図２に示される例示的な設計では、各送信機２５０は、送信回路２５２及び電力増幅器（ＰＡ）２５４を含む。データ送信では、データプロセッサ２８０が、送信されこととなるデータを処理し（例えば、符号化及び変調し）、アナログ出力信号を、選択された送信機に供給する。以下の説明は、送信機２５０ｐａが、選択された送信機であると想定する。送信機２５０ｐａ内では、送信回路２５２ｐａが、アナログ出力信号を、増幅し、フィルタリングし、ベースバンドからＲＦにアップコンバートし、変調ＲＦ信号を供給する。送信回路２５２ｐａは、増幅器、フィルタ、ミキサ、整合回路、発振器、ＬＯジェネレータ、ＰＬＬ、等を含み得る。ＰＡ２５４ｐａは、変調ＲＦ信号を受信し、増幅し、適切な出力電力レベルを有する送信ＲＦ信号を供給する。送信ＲＦ信号は、アンテナインターフェース回路２２４を通じてルーティングされ、アンテナ２１０を介して送信される。トランシーバ２２０及び２２２内の残りの各送信機２５０は、送信機２５０ｐａと類似した方法で動作し得る。
【００１２】
[0018]図２は、受信機２３０及び送信機２５０の例示的な設計を示す。受信機及び送信機は、フィルタ、整合回路、等といった、図２に示されていない他の回路も含み得る。トランシーバ２２０及び２２２の全体又は一部は、１つ又は複数のアナログ集積回路（ＩＣ）、ＲＦ ＩＣ（ＲＦＩＣ）、混合信号ＩＣ、等の上に実装され得る。例えば、ＬＮＡ２４０及び受信回路２４２は、ＲＦＩＣ、等であり得る１つのモジュール上に実装され得る。トランシーバ２２０及び２２２内の回路は、他の方法でも実装され得る。例示的な実施形態では、トランシーバ２２０及び２２２は、図３−７に関連して説明されるようなアナログ組み込み式自己テスト（ＢｉＳＴ）を可能にするトポロジを有し得る。
【００１３】
[0019]データプロセッサ／コントローラ２８０は、ワイヤレスデバイス１１０のための様々な機能を実行し得る。例えば、データプロセッサ２８０は、受信機２３０を介して受信されるデータ及び送信機２５０を介して送信されるデータのための処理を実行し得る。コントローラ２８０は、トランシーバ２２０及び２２２内の様々な回路の動作を制御し得る。メモリ２８２は、データプロセッサ／コントローラ２８０のためのデータ及びプログラムコードを記憶し得る。データプロセッサ／コントローラ２８０は、１つ又は複数の特定用途向け集積回路（ＡＳＩＣ）及び／又は他のＩＣ上に実装され得る。
【００１４】
[0030]ワイヤレスデバイス１１０は、複数の帯域グループ、複数の無線技術、及び／又は複数のアンテナをサポートし得る。ワイヤレスデバイス１１０は、複数の帯域グループ、複数の無線技術、及び／又は複数のアンテナを介した受信をサポートするために多数のＬＮＡを含み得る。
【００１５】
[0021]図３を参照すると、アナログ組み込み式自己テスト（ＢｉＳＴ）を可能にするトポロジを有するトランシーバ３００の例示的な実施形態が示されている。例示的な実施形態では、図１−２のワイヤレスデバイス１１０は、トランシーバ３００を含み得る。例えば、トランシーバ３００は、図２のトランシーバ２２０、２２２の各々に対応し得る。トランシーバ３００は、切替えネットワーク３０２、第１の電力センサ３０４（例えば、無線周波数電力センサ）、第２の電力センサ３０６（例えば、無線周波数電力センサ）、及び局部発振器３１２を含み得る。例示的な実施形態では、トランシーバ３００はまた、トランシーバの第１のアレイ（スプリット１＿１，スプリット１＿２）及びトランシーバの第２のアレイ（スプリット２＿１，スプリット２＿２）を含む。例えば、トランシーバ３００は、ビームフォーミングメカニズムに使用されるマルチアンテナアレイトランシーバであり得る。
【００１６】
[0022]トランシーバの第１のアレイ（スプリット１＿１，スプリット１＿２）は、第１のトランシーバ、第２のトランシーバ、第３のトランシーバ、及び第４のトランシーバを含み得る。各トランシーバは、対応する電力増幅器、低ノイズ増幅器、及び位相シフタを含み得る。例えば、第１のトランシーバは、第１の電力増幅器（ＰＡ１）、第１の低ノイズ増幅器（ＬＮＡ１）、及び第１の位相シフタ（ＰＳ１）を含み得る。第１の電力増幅器（ＰＡ１）は、第１の送信経路を介して第１の位相シフタ（ＰＳ１）に結合され、第１の低ノイズ増幅器（ＬＮＡ１）は、第１の受信経路を介して第１の位相シフタ（ＰＳ２）に結合される。第２のトランシーバは、第２の電力増幅器（ＰＡ２）、第２の低ノイズ増幅器（ＬＮＡ２）、及び第２の位相シフタ（ＰＳ２）を含み得る。第２の電力増幅器（ＰＡ２）は、第２の送信経路を介して第２の位相シフタ（ＰＳ２）に結合され、第２の低ノイズ増幅器（ＬＮＡ２）は、第２の受信経路を介して第２の位相シフタ（ＰＳ２）に結合される。第３のトランシーバは、第３の電力増幅器（ＰＡ３）、第３の低ノイズ増幅器（ＬＮＡ３）、及び第３の位相シフタ（ＰＳ３）を含み得る。第３の電力増幅器（ＰＡ３）は、第３の送信経路を介して第３の位相シフタ（ＰＳ３）に結合され、第３の低ノイズ増幅器（ＬＮＡ３）は、第３の受信経路を介して第３の位相シフタ（ＰＳ３）に結合される。第４のトランシーバは、第４の電力増幅器（ＰＡ４）、第４の低ノイズ増幅器（ＬＮＡ４）、及び第４の位相シフタ（ＰＳ４）を含み得る。第４の電力増幅器（ＰＡ４）は、第４の送信経路を介して第４の位相シフタ（ＰＳ４）に結合され、第４の低ノイズ増幅器（ＬＮＡ４）は、第４の受信経路を介して第４の位相シフタ（ＰＳ４）に結合される。
【００１７】
[0023]トランシーバの第２のアレイ（スプリット２＿１，スプリット２＿２）は、第５のトランシーバ、第６のトランシーバ、第７のトランシーバ、及び第８のトランシーバを含み得る。第５のトランシーバは、第５の電力増幅器（ＰＡ５）、第５の低ノイズ増幅器（ＬＮＡ５）、及び第５の位相シフタ（ＰＳ５）を含み得る。第５の電力増幅器（ＰＡ５）は、第５の送信経路を介して第５の位相シフタ（ＰＳ５）に結合され、第５の低ノイズ増幅器（ＬＮＡ５）は、第５の受信経路を介して第５の位相シフタ（ＰＳ５）に結合される。第６のトランシーバは、第６の電力増幅器（ＰＡ６）、第６の低ノイズ増幅器（ＬＮＡ６）、及び第６の位相シフタ（ＰＳ６）を含み得る。第６の電力増幅器（ＰＡ５）は、第６の送信経路を介して第６の位相シフタ（ＰＳ６）に結合され、第６の低ノイズ増幅器（ＬＮＡ６）は、第６の受信経路を介して第６の位相シフタ（ＰＳ６）に結合される。第７のトランシーバは、第７の電力増幅器（ＰＡ７）、第７の低ノイズ増幅器（ＬＮＡ７）、及び第７の位相シフタ（ＰＳ７）を含み得る。第７の電力増幅器（ＰＡ７）は、第７の送信経路を介して第７の位相シフタ（ＰＳ７）に結合され、第７の低ノイズ増幅器（ＬＮＡ７）は、第７の受信経路を介して第７の位相シフタ（ＰＳ７）に結合される。第８のトランシーバは、第８の電力増幅器（ＰＡ８）、第８の低ノイズ増幅器（ＬＮＡ８）、及び第８の位相シフタ（ＰＳ８）を含み得る。第８の電力増幅器（ＰＡ８）は、第８の送信経路を介して第８の位相シフタ（ＰＳ８）に結合され、第８の低ノイズ増幅器（ＬＮＡ５）は、第８の受信経路を介して第８の位相シフタ（ＰＳ８）に結合される。
【００１８】
[0024]各電力増幅器（ＰＡ１−８）は、図１のワイヤレスシステム１２０に関連付けられたワイヤレスネットワークのようなワイヤレスネットワークを通して送信されることとなる信号を増幅するように構成され得る。各低ノイズ増幅器（ＬＮＡ１−８）は、ワイヤレスネットワークから受信される信号の利得を増幅及び改善するように構成され得る。
【００１９】
[0028]トランシーバの第１のアレイ（スプリット１＿１，スプリット１＿２）内の電力増幅器及びトランシーバの第２のアレイ（スプリット２＿１，スプリット２＿２）内の低ノイズ増幅器は、アナログＢｉＳＴを可能にするために、３状態スイッチ（three-state switch）を介して互いに結合され得る。例えば、第１の電力増幅器（ＰＡ１）は、第１の３状態スイッチ３２１を介して第５の低ノイズ増幅器（ＬＮＡ５）に結合され得、第２の電力増幅器（ＰＡ２）は、第２の３状態スイッチ３２２を介して第６の低ノイズ増幅器（ＬＮＡ６）に結合され得、第３の電力増幅器（ＰＡ３）は、第３の３状態スイッチ３２３を介して第７の低ノイズ増幅器（ＬＮＡ７）に結合され得、第４の電力増幅器（ＰＡ４）は、第４の３状態スイッチ３２４を介して第８の低ノイズ増幅器（ＬＮＡ８）に結合され得る。各３状態スイッチ３２１−３２４は、対応するアンテナ３３１−３３４（例えば、アンテナ素子）に結合され得る。
【００２０】
[0028]同様の方法で、トランシーバの第２のアレイ（スプリット２＿１，スプリット２＿２）内の電力増幅器及びトランシーバの第１のアレイ（スプリット１＿１，スプリット１＿２）内の低ノイズ増幅器は、アナログＢｉＳＴを可能にするために、３状態スイッチを介して互いに結合され得る。例えば、第１の低ノイズ増幅器（ＬＮＡ１）は、第５の３状態スイッチ３２５を介して第５の電力増幅器（ＰＡ５）に結合され得、第２の低ノイズ増幅器（ＬＮＡ２）は、第６の３状態スイッチ３２６を介して第６の電力増幅器（ＰＡ６）に結合され得、第３の低ノイズ増幅器（ＬＮＡ３）は、第７の３状態スイッチ３２７を介して第７の電力増幅器（ＰＡ７）に結合され得、第４の低ノイズ増幅器（ＬＮＡ４）は、第８の３状態スイッチ３２８を介して第８の電力増幅器（ＰＡ８）に結合され得る。各３状態スイッチ３２５−３２８は、対応するアンテナ３３５−３３８（例えば、アンテナ素子）に結合され得る。
【００２１】
[0027]各３状態スイッチ３２１−３２８は、送信プロパティと受信プロパティの同時テストを可能にするために、対応するアンテナ３３１−３３８を介して信号を送信する送信状態と、対応するアンテナ３３１−３３８を介して信号を受信する受信状態と、対応する電力増幅器から対応する低ノイズ増幅器に送信信号（例えば、漏れ電流）を供給するループバック状態とを含み得る。非限定的な例として、以下で説明されるように、ループバック状態中、第１の３状態スイッチ３２１は、第１の電力増幅器（ＰＡ１）の送信プロパティ及び第５の低ノイズ増幅器（ＬＮＡ５）の受信プロパティの同時テストを可能にするために、第１の電力増幅器（ＰＡ１）から第５の低ノイズ増幅器（ＬＮＡ５）に送信信号を供給し得る。
【００２２】
[0028]切替えネットワーク３０２は、第１の送信ドライバ３４２、第１の受信ドライバ３４４（例えば、減衰器）、第２の送信ドライバ３４６、第２の受信ドライバ３４８、第１のダイバーシティスイッチ３５０、及び第２のダイバーシティスイッチ３５２を含み得る。第１の送信ドライバ３４２及び第１の受信ドライバ３４４は、スイッチを介してトランシーバの第１のアレイ（スプリット１＿１，スプリット１＿２）に選択的に結合され得る。例えば、トランシーバの第１のアレイ（スプリット１＿１，スプリット１＿２）は、送信状態中、対応する電力増幅器（ＰＡ１−４）を介した信号送信を可能にするため、又は、ループバック状態中、電力増幅器（ＰＡ１−４）の送信テストを可能にするために、第１の送信ドライバ３４２に結合され得る。代替的に、トランシーバの第１のアレイ（スプリット１＿１，スプリット１＿２）は、対応する低ノイズ増幅器（ＬＮＡ１−４）を介した信号受信を可能にするため、又は、ループバックモード中、低ノイズ増幅器（ＬＮＡ１−４）の受信テストを可能にするために、第１の受信ドライバ３４４に結合され得る。
【００２３】
[0029]第２の送信ドライバ３４６及び第２の受信ドライバ３４８はトランシーバの第２のアレイ（スプリット２＿１，スプリット２＿２）に選択的に結合され得る。例えば、トランシーバの第２のアレイ（スプリット２＿１，スプリット２＿２）は、送信状態中、対応する電力増幅器（ＰＡ５−８）を介した信号送信を可能にするため、又は、ループバック状態中、電力増幅器（ＰＡ５−８）の送信テストを可能にするために、第２の送信ドライバ３４６に結合され得る。代替的に、トランシーバの第２のアレイ（スプリット２＿１，スプリット２＿２）は、対応する低ノイズ増幅器（ＬＮＡ５−８）を介した信号受信を可能にするため、又は、ループバックモード中、対応する低ノイズ増幅器（ＬＮＡ５−８）の受信テストを可能にするために、第２の受信ドライバ３４８に結合され得る。
【００２４】
[0030]第１のダイバーシティスイッチ３５０は、送信経路を第１の送信ドライバ３４２又は第２の送信ドライバ３４６に選択的に結合するように構成され得る。例えば、第１のダイバーシティスイッチ３５０は、第１のミキサ３０８（例えば、送信ミキサ）に結合され得、第１のミキサ３０８は、局部発振器３１２からの局部発振器信号を受けるように結合され得る。第１のミキサ３０８は、局部発振器信号を、送信経路からの中間周波数送信信号（ＴＸ ＩＦ）と混合して、送信信号を生成するように構成され得る。送信信号は、第１のダイバーシティスイッチ３５０に状態に基づいて、トランシーバの第１のアレイ（スプリット１＿１，スプリット１＿２）内の電力増幅器（ＰＡ１−４）に、又は、トランシーバの第２のアレイ（スプリット２＿１，スプリット２＿２）内の電力増幅器（ＰＡ５−８）に供給され得る。
【００２５】
[0031]第２のダイバーシティスイッチ３５２は、受信経路を第１の受信ドライバ３４４又は第２の受信ドライバ３４８に選択的に結合するように構成され得る。例えば、第２のダイバーシティスイッチ３５２は、第２のミキサ３１０に結合され得、第２のミキサ３１０は、局部発振器３１２からの局部発振器信号を受けるように結合され得る。第２のミキサ３１０は、局部発振器信号を受信信号と混合して、受信中間周波数信号（ＲＸ ＩＦ）を生成するように構成され得る。受信信号は、第２のダイバーシティスイッチ３５２の状態に基づいて、トランシーバの第１のアレイ（スプリット１＿１，スプリット１＿２）内の低ノイズ増幅器（ＬＮＡ１−４）から、又は、トランシーバの第２のアレイ（スプリット２＿１，スプリット２＿２）内の低ノイズ増幅器（ＬＮＡ５−８）から受けられ得る。
【００２６】
[0032]ループバック状態（例えば、ループバックテスト）中、トランシーバ３００は、トランシーバの１つのアレイ内の電力増幅器の送信特性と、トランシーバのもう一方のアレイ内の低ノイズ増幅器の受信特性とをテストし得る。故に、トランシーバ３００のフロントエンドにある構成要素（例えば、電力増幅器及び低ノイズ増幅器）の特性は、ループバックテスト中（例えば、アナログＢｉＳＴ中）にテストされ得る。実例となる例として、ループバック状態中、第１のダイバーシティスイッチ３５０が、第１の送信ドライバ３４２を第１のミキサ３０８に結合し、第２のダイバーシティスイッチ３５２が、第２の受信ドライバ３４８を第２のミキサ３１０に結合する場合、トランシーバ３００は、トランシーバの第１のアレイ（スプリット１＿１，スプリット１＿２）内の電力増幅器（ＰＡ１−４）の送信プロパティと、トランシーバの第２のアレイ（スプリット２＿１，スプリット２＿２）内の低ノイズ増幅器（ＬＮＡ５−８）の受信プロパティとをテストし得る。別の実例となる例として、ループバック状態中、第１のダイバーシティスイッチ３５０が、第２の送信ドライバ３４６を第１のミキサ３０８に結合し、第２のダイバーシティスイッチ３５２が、第１の受信ドライバ３４４を第２のミキサ３１０に結合する場合、トランシーバ３００は、トランシーバの第２のアレイ（スプリット２＿１，スプリット２＿２）内の電力増幅器（ＰＡ５−８）の送信プロパティと、トランシーバの第１のアレイ（スプリット１＿１，スプリット１＿２）内の低ノイズ増幅器（ＬＮＡ１−４）の受信プロパティとをテストし得る。
【００２７】
[0033]送信プロパティのテストは、中間周波数送信信号（ＴＸ ＩＦ）の信号特性を測定するために第１の電力センサ３０４を結合することで実行され得、受信プロパティのテストは、受信中間周波数信号（ＲＸ ＩＦ）の信号特性を測定するために第２の電力センサ３０６を結合することで実行され得る。電力センサ３０４、３０６は、中間周波数送信信号（ＴＸ ＩＦ）の電力、中間周波数送信信号（ＴＸ ＩＦ）の利得、中間周波数送信信号（ＴＸ ＩＦ）に関連付けられた局部発振器漏れ、中間周波数送信信号（ＴＸ ＩＦ）の線形性又は出力電力（ＯＰ１ｄＢ）、若しくはそれらの任意の組み合わせを測定（例えば、算出）し得る。電力センサ３０４、３０６はまた、受信中間周波数信号（ＲＸ ＩＦ）のノイズ指数、受信中間周波数信号（ＲＸ ＩＦ）の利得、受信中間周波数信号（ＲＸ ＩＦ）の入力電力（ＩＰ１ｄＢ）、若しくはそれらの任意の組み合わせを測定し得る。
【００２８】
[0034]２つの電力センサ３０４、３０６が例示されているが、他の例示的な実施形態では、測定信頼性を強化するために、追加の電力センサが、トランシーバ３００に又はトランシーバ３００の構成要素に結合され得る。非限定的な例として、電力センサは、比較的高い精度で第１の電力増幅器（ＰＡ１）の出力電力を測定するために、第１の電力増幅器（ＰＡ１）の出力に結合され得る（例えば、第１の電力増幅器（ＰＡ１）と第１の３状態スイッチ３２１との間に）。別の非限定的な例として、電力センサは、切替えネットワーク３０２内の構成要素に起因し得る電力漏れの前に電力測定を可能にするために、トランシーバの第１のアレイ（スプリット１＿１）と、切替えネットワーク３０２との間に結合され得る。
【００２９】
[0035]別の例示的な実施形態では、トランシーバ３００は、ループバック状態中、送信ドライバ３４２、３４６の送信特性と、受信ドライバ３４４、３４８の受信特性とをテストし得る。例えば、第１の送信ドライバ３４２の出力及び第１の受信ドライバの入力に結合されたスイッチもまた３状態スイッチであり得る。故に、ループバック状態では、第１の送信ドライバ３４２の出力は、第１の送信ドライバ３４２からの漏れ電流が第１の受信ドライバ３４４に供給されるように、３状態スイッチを介して第１の受信ドライバ３４４の入力に結合され得る。この構成では、電力センサ３０４、３０６は、上述された方法と同様の方法で、第１の送信ドライバ３４２の送信特性及び第１の受信ドライバ３４４の受信特性を測定し得る。
【００３０】
[0036]ループバック状態の第１の例示的な実施形態（例えば、各３状態スイッチ３２１−３２８がループバック状態にある）の動作中、トランシーバの第１のアレイ（スプリット１＿１，スプリット１＿２）内の電力増幅器（ＰＡ１−４）及びトランシーバの第２のアレイ（スプリット２＿１，スプリット２＿２）内の低ノイズ増幅器（ＬＮＡ５−８）のテストが実行され得る。例えば、第１の送信ドライバ３４２は、トランシーバの第１のアレイ（スプリット１＿１，スプリット１＿２）に結合され得、第２の受信ドライバ３４８は、トランシーバの第２のアレイ（スプリット２＿１，スプリット２＿２）に結合され得る。加えて、第１のダイバーシティスイッチ３５０は、第１の送信ドライバ３４２を第１のミキサ３０８に結合し得、第２のダイバーシティスイッチ３５２は、第２の受信ドライバ３４８を第２のミキサ３１０に結合し得る。
【００３１】
[0037]第１のミキサ３０８は、第１の送信ドライバ３４２を介して各電力増幅器（ＰＡ１−４）に送信信号（例えば、局部発振器信号と混合された中間周波数送信信号（ＴＸ ＩＦ））を供給し得る。電力増幅器（ＰＡ１−４）は、図４に関連してより詳細に説明されるように、送信信号を増幅し、増幅された送信信号（例えば、無線周波数送信信号）を、３状態スイッチ３２１−３２８に基づいて、対応する低ノイズ増幅器（ＬＮＡ５−８）に供給し得る。例えば、第１の電力増幅器（ＰＡ１）は、増幅された送信信号を第５の低ノイズ増幅器（ＬＮＡ５）に供給し得、第２の電力増幅器（ＰＡ２）は、増幅された送信信号を第６の低ノイズ増幅器（ＬＮＡ６）に供給し得、第３の電力増幅器（ＰＡ３）は、増幅された送信信号を第７の低ノイズ増幅器（ＬＮＡ７）に供給し得、第４の電力増幅器（ＰＡ４）は、増幅された送信信号を第８の低ノイズ増幅器（ＬＮＡ８）に供給し得る。
【００３２】
[0038]低ノイズ増幅器（ＬＮＡ５−８）は、増幅された送信信号を増幅して受信信号を生成するように構成され得る。受信信号は、第２のダイバーシティスイッチ３５２を介して第２の受信ドライバ３４８及びミキサ３１０に供給され得る。第２のミキサ３１０は、受信信号を局部発振器信号と混合することで、受信中間周波数信号（ＲＸ ＩＦ）を生成し得る。電力検出器３０４、３０６は、上述したように、それぞれ中間周波数送信信号（ＴＸ ＩＦ）及び受信中間周波数信号（ＲＸ ＩＦ）の信号品質を測定し得る。
【００３３】
[0039]ループバック状態の第２の例示的な実施形態（例えば、各３状態スイッチ３２１−３２８がループバック状態にある）の動作中、トランシーバの第２のアレイ（スプリット２＿１，スプリット２＿２）内の電力増幅器（ＰＡ５−８）及びトランシーバの第１のアレイ（スプリット１＿１，スプリット１＿２）内の低ノイズ増幅器（ＬＮＡ１−４）の同時テストが実行され得る。例えば、第１の受信ドライバ３４４は、トランシーバの第１のアレイ（スプリット１＿１，スプリット１＿２）に結合され得、第２の送信ドライバ３４６は、トランシーバの第２のアレイ（スプリット２＿１，スプリット２＿２）に結合され得る。加えて、第１のダイバーシティスイッチ３５０は、第２の送信ドライバ３４６を第１のミキサ３０８に結合し得、第２のダイバーシティスイッチ３５２は、第１の受信ドライバ３４４を第２のミキサ３１０に結合し得る。
【００３４】
[0040]第１のミキサ３０８は、第２の送信ドライバ３４６を介して各電力増幅器（ＰＡ５−８）に送信信号（例えば、局部発振器信号と混合された中間周波数送信信号（ＴＸ ＩＦ））を供給し得る。電力増幅器（ＰＡ５−８）は、図４に関連してより詳細に説明されるように、送信信号を増幅し、増幅された送信信号（例えば、無線周波数送信信号）を、３状態スイッチ３２１−３２８に基づいて、対応する低ノイズ増幅器（ＬＮＡ１−４）に供給し得る。例えば、第５の電力増幅器（ＰＡ５）は、増幅された送信信号を第１の低ノイズ増幅器（ＬＮＡ１）に供給し得、第６の電力増幅器（ＰＡ６）は、増幅された送信信号を第２の低ノイズ増幅器（ＬＮＡ２）に供給し得、第７の電力増幅器（ＰＡ７）は、増幅された送信信号を第３の低ノイズ増幅器（ＬＮＡ３）に供給し得、第８の電力増幅器（ＰＡ８）は、増幅された送信信号を第４の低ノイズ増幅器（ＬＮＡ４）に供給し得る。
【００３５】
[0041]低ノイズ増幅器（ＬＮＡ１−４）は、増幅された送信信号を増幅して、受信信号を生成するように構成され得る。受信信号は、第２のダイバーシティスイッチ３５２を介して第１の受信ドライバ３４４及び第２のミキサ３１０に供給され得る。第２のミキサ３１０は、受信信号を局部発振器信号と混合することで、受信中間周波数信号（ＲＸ ＩＦ）を生成し得る。電力検出器３０４、３０６は、上述したように、それぞれ中間周波数送信信号（ＴＸ ＩＦ）及び受信中間周波数信号（ＲＸ ＩＦ）の信号特性を測定し得る。
【００３６】
[0042]トランシーバ３００のトポロジは、電力増幅器（ＰＡ１−８）のプロパティ及び低ノイズ増幅器（ＬＮＡ１−８）のプロパティが、電力センサ３０４、３０６によって決定されるメトリック値に基づいて決定されることを可能にする。例えば、トランシーバ３００トポロジは、ＢｉＳＴ（例えば、ループバックテスト）を組み込むために、特定のトランシーバ内の電力増幅器（例えば、第１の電力増幅器（ＰＡ１））と、別のトランシーバ内の低ノイズ増幅器（例えば、第５の低ノイズ増幅器（ＬＮＡ５））との間の漏れ経路をサポートする。故に、トランシーバ３００のトポロジは、フロントエンドにおいて電力増幅器（ＰＡ１−８）及び低ノイズ増幅器（ＬＮＡ１−８）のアナログＢｉＳＴを可能にする。
【００３７】
[0043]例示的な実施形態では、トランシーバ３００は、無線周波数／中間周波数（ＲＦ／ＩＦ）変換器チップ上に実装され得る。例えば、アナログＢｉＳＴは、性能をモニタリングするために、電力センサ３０４、３０６を用いて実行され得る。
【００３８】
[0044]図４を参照すると、アナログ組み込み式自己テスト（ＢｉＳＴ）を可能にするトポロジを有するトランシーバ（例えば、トランシーバ３００）のアンテナチェーン４００の例示的な実施形態が示されている。アンテナチェーン４００は、トランシーバの第１のアレイ（スプリット１＿１，スプリット１＿２）内の第１の電力増幅器（ＰＡ１）と、トランシーバの第２のアレイ（スプリット２＿１，スプリット２＿２）内の第５の低ノイズ増幅器（ＬＮＡ５）とを含む。トランシーバ３００の他のアンテナチェーンのトポロジが、図４に描写されているアンテナチェーン４００のトポロジに実質的に類似し得ることに留意されたい。
【００３９】
[0045]第１の電力増幅器（ＰＡ１）は、第１の３状態スイッチ３２１に結合され得、低ノイズ増幅器（ＬＮＡ５）もまた、第１の３状態スイッチ３２１に結合され得る。第１の３状態スイッチ３２１はまた、第１のアンテナ３３１に結合され得る。第１の位相シフタ（ＰＳ１）は、第１の電力増幅器（ＰＡ１）の入力に結合され得、第５の位相シフタ（ＰＳ５）は、第５の低ノイズ増幅器（ＬＮＡ５）の出力に結合され得る。
【００４０】
[0046]第１の３状態スイッチ３２１は、送信状態、受信状態、又はループバック状態に切り替わるように構成され得る。例えば、送信状態中、第１の３状態スイッチ３２１は、第１のアンテナ３３１を第１の電力増幅器（ＰＡ１）の出力に結合する。送信状態中、第１の電力増幅器（ＰＡ１）は、送信信号を増幅して無線周波数送信信号を生成するように構成され得る。無線周波数送信信号は、第１のアンテナ３３１を介してワイヤレスネットワーク（示されない）を通して送信され得る。
【００４１】
[0047]受信状態中、第１の３状態スイッチ３２１は、第１のアンテナ３３１を第５の低ノイズ増幅器（ＬＮＡ５）の入力に結合する。受信された無線周波数信号は、受信状態中、第１のアンテナ３３１を介して第５の低ノイズ増幅器（ＬＮＡ５）に供給され得る。第５の低ノイズ増幅器（ＬＮＡ５）は、受信された無線周波数信号の利得を増幅及び調整して受信信号を生成するように構成され得る。
【００４２】
[0048]ループバック状態中、第１の３状態スイッチ３２１は、第１の電力増幅器（ＰＡ１）の出力を、第５の低ノイズ増幅器（ＬＮＡ１）の入力に結合する。第１の電力増幅器（ＰＡ１）において生成された無線周波数送信信号は、漏れ電流として、第５の低ノイズ増幅器（ＬＮＡ５）に供給され得る。例えば、ループバック状態中、アンテナチェーン４００は、無線周波数信号を送信すること又は受信することを控え、第１の電力増幅器（ＰＡ１）から漏れ電流を生成する。漏れ電流は、図３に関連して説明されたように、フロントエンドにおいてアナログＢｉＳＴを可能にするために、第５の低ノイズ増幅器（ＬＮＡ５）に供給され、第５の低ノイズ増幅器（ＬＮＡ５）において増幅され、受信信号として使用され得る。例えば、第２の電力センサ３０６における測定は、漏れ電流に基づき得る。
【００４３】
[0049]例示的な実施形態では、第１のバイパス回路４０２は、第１の電力増幅器（ＰＡ１）についての特定の測定を可能にし得る。例えば、第１のバイパス回路４０２を選択的にイネーブルにすること（例えば、スイッチを閉じること）は、第１の電力検出器３０４が、電力増幅の前及び後に送信信号の電力を測定して、第１の電力増幅器（ＰＡ１）に関連付けられた利得を決定することを可能にし得る。同様の方法では、第２のバイパス回路４０４は、第５の低ノイズ増幅器（ＬＮＡ５）についての特定の測定を可能にし得る。例えば、第２のバイパス回路４０４を選択的にイネーブルにすることは、第２の電力検出器３０６が、増幅の前及び増幅の後に受信信号の電力を測定して、第５の低ノイズ増幅器（ＬＮＡ５）に関連付けられた利得を決定することを可能にし得る。
【００４４】
[0050]図５を参照すると、アナログ組み込み式自己テスト（ＢｉＳＴ）を可能にするトポロジを有するトランシーバ５００の別の例示的な実施形態が示されている。トランシーバ５００は、切替えネットワーク３０２、トランシーバの第１のアレイ（スプリット１＿１，スプリット１＿２）、及びトランシーバの第２のアレイ（スプリット２＿１，スプリット２＿２）を含み得る。
【００４５】
[0051]第１のダイバーシティスイッチ３５０は、一対の送信ミキサ５０８に結合され得る。例えば、一対の送信ミキサ５０８は、同相送信ミキサ及び直交送信ミキサを含み得る。同相送信ミキサは、同相送信回路５２２に結合され得、直交送信ミキサは、直交送信回路５２４に結合され得る。例示的な実施形態では、同相送信回路５２２は、同相ビデオグラフィックスアレイ（ＶＧＡ）送信機及び画像除去フィルタを含み得る。別の例示的な実施形態では、直交送信回路５２４は、直交ＶＧＡ送信機及び画像除去フィルタを含み得る。同相送信回路５２２及び直交送信回路５２４は、デジタル／アナログ変換器を介してデジタルモデム５３０に結合され得る。
【００４６】
[0052]第２のダイバーシティスイッチ３５２は、一対の受信ミキサ５１０に結合され得る。例えば、一対の受信ミキサ５１０は、同相受信ミキサ及び直交受信ミキサを含み得る。同相受信ミキサは、同相受信回路５２６に結合され得、直交受信ミキサは、直交受信回路５２８に結合され得る。例示的な実施形態では、同相受信回路５２６は、同相ＶＧＡ受信機及びアンチエイリアシングフィルタアンチエイリアシングフィルタを含み得る。別の例示的な実施形態では、直交受信回路５２８は、直交ＶＧＡ受信機及びアンチエイリアシングフィルタを含み得る。同相受信回路５２６及び直交受信回路５２８は、アナログ／デジタル変換器を介してデジタルモデム５３０に結合され得る。
【００４７】
[0053]デジタルモデム５３０（又は、デジタルシグナルプロセッサ）は、送信信号（例えば、送信信号）を生成するように構成され得、信号（例えば、受信信号）を検出し得る。例示的な実施形態では、デジタルモデム５３０は、アナログＢｉＳＴ中に、送信信号及び受信信号の信号特性を測定し得る。追加の電力センサもまた、より詳細に信号特性をモニタリングするために、信号経路に結合され得る。
【００４８】
[0054]例示的な実施形態では、トランシーバ５００は、ゼロ中間周波数（ＺＩＦ）変換器チップ上に実装され得る。例えば、アナログＢｉＳＴは、電力増幅器（ＰＡ１−８）及び低ノイズ増幅器（ＬＮＡ１−８）の性能をモニタリングするために、デジタルモデム５３０を用いて実行され得る。
【００４９】
[0055]図６を参照すると、アナログ組み込み式自己テスト（ＢｉＳＴ）を可能にするトポロジを有するトランシーバ６００の別の例示的な実施形態が示されている。トランシーバ６００は、切替えネットワーク３０２と、トランシーバの第１のアレイ（スプリット１＿１，スプリット１＿２）と、トランシーバの第２のアレイ（スプリット２＿１，スプリット２＿２）とを含む。
【００５０】
[0056]トランシーバの第１のアレイ（スプリット１＿１，スプリット１＿２）では、第１のアンテナ６３１は、第１の電力増幅器（ＰＡ１）の出力と第１の低ノイズ増幅器（ＬＮＡ１）の入力とに結合され、第２のアンテナ６３２は、第２の電力増幅器（ＰＡ２）の出力と第２の低ノイズ増幅器（ＬＮＡ２）の入力とに結合され、第３のアンテナ６３３は、第３の電力増幅器（ＰＡ３）の出力と第３の低ノイズ増幅器（ＬＮＡ３）の入力とに結合され、第４のアンテナ６３４は、第４の電力増幅器（ＰＡ４）の出力と第４の低ノイズ増幅器（ＬＮＡ４）の入力とに結合される。
【００５１】
[0057]トランシーバの第２のアレイ（スプリット２＿１，スプリット２＿２）では、第５のアンテナ６３５は、第５の電力増幅器（ＰＡ５）の出力と第５の低ノイズ増幅器（ＬＮＡ６）の入力とに結合され、第６のアンテナ６３６は、第６の電力増幅器（ＰＡ６）の出力と第６の低ノイズ増幅器（ＬＮＡ６）の入力とに結合され、第７のアンテナ６３７は、第７の電力増幅器（ＰＡ７）の出力と第７の低ノイズ増幅器（ＬＮＡ７）の入力とに結合され、第８のアンテナ６３８は、第８の電力増幅器（ＰＡ８）の出力と第８の低ノイズ増幅器（ＬＮＡ８）の入力とに結合される。
【００５２】
[0058]ループバック状態中（例えば、アナログＢｉＳＴ中）に、第１のループバックスイッチ（ＬＢＳ１）は、図４に関連して説明されたように、フィードバック電流が第１の電力増幅器（ＰＡ１）から第５の低ノイズ増幅器（ＬＮＡ）５に伝播することを可能にするために、第１の電力増幅器（ＰＡ１）を第５の低ノイズ増幅器（ＬＮＡ５）に選択的に結合し得る。第１のループバックスイッチ（ＬＢＳ）はまた、フィードバック電流が第５の電力増幅器（ＰＡ１）から第１の低ノイズ増幅器（ＬＮＡ１）に伝播することを可能にするために、第５の電力増幅器（ＰＡ５）を第１の低ノイズ増幅器（ＬＮＡ１）に選択的に結合し得る。
【００５３】
[0059]実質的に類似した方法では、ループバック状態中、第２のループバックスイッチ（ＬＢＳ２）は、第２の電力増幅器（ＰＡ２）を第６の低ノイズ増幅器（ＬＮＡ６）に選択的に結合し得るか、又は、第６の電力増幅器（ＰＡ６）を第２の低ノイズ増幅器（ＬＮＡ２）に結合し得る。第３のループバックスイッチ（ＬＢＳ３）は、第３の電力増幅器（ＰＡ３）を第７の低ノイズ増幅器（ＬＮＡ７）に選択的に結合し得るか、又は、第７の電力増幅器（ＰＡ７）を第３の低ノイズ増幅器（ＬＮＡ３）に結合し得る。第４のループバックスイッチ（ＬＢＳ４）は、第４の電力増幅器（ＰＡ４）を第８の低ノイズ増幅器（ＬＮＡ８）に選択的に結合し得るか、又は、第８の電力増幅器（ＰＡ８）を第４の低ノイズ増幅器（ＬＮＡ４）に結合し得る。
【００５４】
[0060]図６のトランシーバ６００のアレイチェーントポロジが、図３のトランシーバ３００又は図５のトランシーバ５００に実装され得ることは認識されるだろう。例えば、トランシーバ６００のアレイチェーントポロジは、無線周波数／中間周波数（ＲＦ／ＩＦ）変換器チップ上に実装され得る。例えば、アナログＢｉＳＴは、電力増幅器（ＰＡ１−８）及び低ノイズ増幅器（ＬＮＡ１−８）の性能をモニタリングするために、図３の電力センサ３０４、３０６を用いて実行され得る。代替的に、トランシーバ６００のアレイチェーントポロジは、ゼロ中間周波数（ＺＩＦ）変換器チップ上に実装され得る。例えば、アナログＢｉＳＴは、性能をモニタリングするために、デジタルモデム５３０を用いて実行され得る。
【００５５】
[0061]図７を参照すると、フローチャートは、トランシーバ構成要素に対してアナログ組み込み式自己テストすることを可能にするための方法７００の例示的な実施形態を例示している。方法７００は、図１−２のワイヤレスデバイス１１０、図３のトランシーバ３００、図４のアンテナチェーン４００、図５のトランシーバ５００、図６のトランシーバ６００、又はそれらの任意の組み合わせを使用して実行され得る。
【００５６】
[0062]方法７００は、７０２において、ループバックテストを可能にするために、第１の電力増幅器の出力を受けるように第２の低ノイズ増幅器を選択的に結合することを含む。例えば、図３を参照すると、第１の電力増幅器（ＰＡ１）は、ループバックテストを可能にするために、第１の３状態スイッチ３２１を介して第５の低ノイズ増幅器（ＬＮＡ５）に結合され得る。
【００５７】
[0063]第１の低ノイズ増幅器は、７０４において、ループバックテストを可能にするために、第２の電力増幅器の出力を受けるように選択的に結合され得る。例えば、図３を参照すると、第５の電力増幅器（ＰＡ５）は、ループバックテストを可能にするために、第２の３状態スイッチ３２２を介して第１の低ノイズ増幅器（ＬＮＡ１）に結合され得る。
【００５８】
[0064]例示的な実施形態では、方法７００は、ループバックテスト中に第１の電力増幅器の特性を決定することを含み得る。例えば、図３を参照すると、第１の電力増幅器（ＰＡ１）の特性が、ループバックテスト中に決定され得る（例えば、第１の電力センサ３０４を使用して測定される）。別の例として、図６を参照すると、第１の電力増幅器（ＰＡ１）の特性は、ループバックテスト中に決定され得る（例えば、トランシーバの第１のアレイ（スプリット１＿１，スプリット１＿２）に結合された電力センサ（示されない）を使用して測定される）。方法７００はまた、ループバックテスト中に、第２の低ノイズ増幅器の特性を同時に決定することを含み得る。例えば、図３を参照すると、第５の低ノイズ増幅器（ＬＮＡ５）の特性は、第１の電力増幅器（ＰＡ１）の特性が決定されているループバックテスト中に、決定され得る（例えば、第２の電力センサ３０６を使用して測定される）。別の例として、図６を参照すると、第５の低ノイズ増幅器（ＬＮＡ５）の特性は、第１の電力増幅器（ＰＡ１）の特性が決定されているループバックテスト中に、決定され得る（例えば、トランシーバの第２のアレイ（スプリット２＿１，スプリット２＿２）に結合された電力センサ（示されない）を使用して測定される）。
【００５９】
[0065]例示的な実施形態では、方法７００は、第１のアンテナを介した信号送信を可能にするために第１の電力増幅器を第１のアンテナに選択的に結合することを含み得る。例えば、図６を参照すると、第１のループバックスイッチ（ＬＢＳ１）は、非アクティブ化され（例えば、開けられ）得る。第１の電力増幅器（ＰＡ１）は、第１のアンテナ６３１に結合され得る。第１のアンテナ６３１を介した信号送信は、第１の電力増幅器（ＰＡ１）及び第１の送信経路を使用して可能にされ得る。方法７００はまた、第２のアンテナを介した同時信号受信を可能にするために第２の低ノイズ増幅器を第２のアンテナに選択的に結合することを含み得る。例えば、図６を参照すると、第５の低ノイズ増幅器（ＬＮＡ５）は、第１のループバックスイッチ（ＬＢＳ１）が非アクティブ化されると、第５のアンテナ６３５に結合され得る。第５のアンテナ６３５を介した信号受信は、第５の低ノイズ増幅器（ＬＮＡ５）及び第５の受信経路を使用して可能にされ得る。信号送信が、トランシーバの第１のアレイ（スプリット１＿１，スプリット１＿２）内の電力増幅器（ＰＡ１−４）ごとに可能にされ得、同時に、信号受信が、トランシーバの第２のアレイ（スプリット２＿１，スプリット２＿２）内の低ノイズ増幅器（ＬＮＡ５−８）ごとに可能にされることは認識されるだろう。
【００６０】
[0066]図７の方法７００は、電力増幅器（ＰＡ１−８）のプロパティ及び低ノイズ増幅器（ＬＮＡ１−８）のプロパティが、電力センサ３０４、３０６又はデジタルモデム５３０によって決定された測定メトリック値（例えば、電力、利得、局部発振器漏れ、線形性、等）に基づいて決定及び較正されることを可能にし得る。方法７００は、トランシーバ３００のフロントエンドにおいて電力増幅器（ＰＡ１−８）及び低ノイズ増幅器（ＬＮＡ１−８）のアナログＢｉＳＴをサポートするトポロジを可能にする。
【００６１】
[0067]説明された実施形態と併せて、装置は、送信信号を増幅するための第１の手段を含む。例えば、送信信号を増幅するための第１の手段は、図３−６の第１の電力増幅器（ＰＡ１）、図３、５、及び６の第２の電力増幅器（ＰＡ２）、図３、５、及び６の第３の電力増幅器（ＰＡ３）、図３、５、及び６の第４の電力増幅器（ＰＡ４）、送信信号を増幅するための１つ又は複数の他のデバイス、回路、モジュール、又は命令、若しくはそれらの任意の組み合わせを含み得る。
【００６２】
[0068]装置はまた、受信信号を増幅するための第１の手段を含み得る。例えば、受信信号を増幅するための第１の手段は、図３、５、及び６の第１の低ノイズ増幅器（ＬＮＡ１）、図３、５、及び６の第２の低ノイズ増幅器（ＬＮＡ２）、図３、５、及び６の第３の低ノイズ増幅器（ＬＮＡ３）、図３、５、及び６の第４の低ノイズ増幅器（ＬＮＡ４）、受信信号を増幅するための１つ又は複数の他のデバイス、回路、モジュール、又は命令、若しくはそれらの任意の組み合わせを含み得る。第１のトランシーバは、送信信号を増幅するための第１の手段及び受信信号を増幅するための第１の手段を含み得る。
【００６３】
[0069]装置はまた、送信信号を増幅するための第２の手段を含み得る。例えば、送信信号を増幅するための第２の手段は、図３、５、及び６の第５の電力増幅器（ＰＡ５）、図３、５、及び６の第６の電力増幅器（ＰＡ６）、図３、５、及び６の第７の電力増幅器（ＰＡ７）、図３、５、及び６の第８の電力増幅器（ＰＡ８）、送信信号を増幅するための１つ又は複数の他のデバイス、回路、モジュール、又は命令、若しくはそれらの任意の組み合わせを含み得る。
【００６４】
[0070]装置はまた、受信信号を増幅するための第２の手段を含み得る。例えば、受信信号を増幅するための第２の手段は、図３−６の第５の低ノイズ増幅器（ＬＮＡ５）、図３、５、及び６の第６の低ノイズ増幅器（ＬＮＡ６）、図３、５、及び６の第７の低ノイズ増幅器（ＬＮＡ７）、図３、５、及び６の第８の低ノイズ増幅器（ＬＮＡ８）、又は受信信号を増幅するための１つ又は複数の他のデバイス、回路、モジュール、又は命令、若しくはそれらの任意の組み合わせを含み得る。第２のトランシーバは、送信信号を増幅するための第２の手段及び受信信号を増幅するための第２の手段を含み得る。
【００６５】
[0071]装置はまた、ループバックテストを可能にするために、送信信号を増幅するための第１の手段の出力を受けるように受信信号を増幅するための第２の手段を選択的に結合するための手段を含み得る。例えば、選択的に結合するための手段は、図３及び５の３状態スイッチ３２１−３２８のうちの１つ又は複数、図４の第１の３状態スイッチ３２１、図６のループバックスイッチ（ＬＢＳ１−ＬＢＳ４）のうち１つ又は複数、送信信号を増幅するための第１の手段の出力を受けるように受信信号を増幅するための第２の手段を選択的に結合するための１つ又は複数の他のデバイス、回路、モジュール、又は命令、若しくはそれらの任意の組み合わせを含み得る。
【００６６】
[0072]当業者であれば、本明細書で開示された実施形態に関連して説明された実例となる様々な論理ブロック、モジュール、回路、及びアルゴリズムステップが、電子ハードウェア、プロセッサによって実行されるコンピュータソフトウェア、又は両方の組み合わせとして実装され得ることを更に認識するであろう。実例となる様々な構成要素、ブロック、構成、モジュール、回路、及びステップは、概ねそれらの機能性の観点から上で説明されている。このような機能性が、ハードウェアとして実装されるかプロセッサ実行可能な命令として実装されるかは、特定の用途及びシステム全体に課せられた設計制約に依存する。当業者は、上述された機能を特定の用途ごとに様々な方法で実装し得るが、このような実装の決定は、本開示の範囲からの逸脱をさせるものとして解釈されるべきでない。
【００６７】
[0073]本明細書で開示された実施形態に関連して説明されたアルゴリズム又は方法のステップは、直接ハードウェアで、プロセッサによって実行されるソフトウェアモジュールで、又は両者の組み合わせで具現化され得る。ソフトウェアモジュールは、ランダムアクセスメモリ（ＲＡＭ）、フラッシュメモリ、読出し専用メモリ（ＲＯＭ）、プログラマブル読出し専用メモリ（ＰＲＯＭ）、消去可能プログラマブル読出し専用メモリ（ＥＰＲＯＭ）、電気的消去可能プログラマブル読出し専用メモリ（ＥＥＰＲＯＭ（登録商標））、レジスタ、ハードディスク、リムーバブルディスク、コンパクトディスク読出し専用メモリ（ＣＤ−ＲＯＭ）、若しくは当技術分野で知られている任意の他の形式の非一時的な記憶媒体に存在し得る。例示的な記憶媒体は、プロセッサが記憶媒体から情報を読み出し、記憶媒体に情報を書き込むことができるように、プロセッサに結合される。代替では、記憶媒体は、プロセッサに一体化され得る。プロセッサ及び記憶媒体は、特定用途向け集積回路（ＡＳＩＣ）内に存在し得る。ＡＳＩＣは、コンピュータデバイス又はユーザ端末内に存在し得る。代替では、プロセッサ及び記憶媒体は、コンピュータデバイス又はユーザ端末内のディスクリート構成要素として存在し得る。
【００６８】
[0074]開示された実施形態の先の説明は、これら開示された実施形態を当業者が製造又は使用できるようにするために提供される。これらの実施形態に対する様々な修正は、当業者に容易に明らかとなり、本明細書で定義された原理は、本開示の範囲から逸脱することなく他の実施形態に適用され得る。故に、本開示は、本明細書に示された実施形態に制限されることは意図されておらず、しかしながら、以下の特許請求の範囲によって定義されるような原理及び新規な特徴と一致する可能がある最も広い範囲が与えられるべきである。
以下に本願の出願当初の特許請求の範囲に記載された発明を付記する。
［Ｃ１］
装置であって、
第１の送信経路に結合された第１の電力増幅器と、
第１の受信経路に結合された第１の低ノイズ増幅器と、
第２の送信経路に結合された第２の電力増幅器と、
第２の受信経路に結合された第２の低ノイズ増幅器と、
前記第１の電力増幅器の出力を受けるように前記第２の低ノイズ増幅器を選択的に結合するように構成された第１のスイッチと、
前記第２の電力増幅器の出力を受けるように前記第１の低ノイズ増幅器を選択的に結合するように構成された第２のスイッチと
を備える装置。
［Ｃ２］
前記第１の電力増幅器及び前記第１の低ノイズ増幅器は、第１のトランシーバに含まれ、前記第２の電力増幅器及び前記第２の低ノイズ増幅器は、第２のトランシーバに含まれる、Ｃ１に記載の装置。
［Ｃ３］
前記第１のトランシーバは、複数のトランシーバを備える第１のアレイに含まれ、前記第２のトランシーバは、複数のトランシーバを備える第２のアレイに含まれる、Ｃ１に記載の装置。
［Ｃ４］
前記第１の電力増幅器は、前記第１の送信経路を介して、第１のアンテナを通した信号送信を可能にするために前記第１のアンテナに選択的に結合され、前記第２の低ノイズ増幅器は、前記第２の受信経路を介して、第２のアンテナを通した信号受信を可能にするために前記第２のアンテナに選択的に結合される、Ｃ１に記載の装置。
［Ｃ５］
前記第１のスイッチは、ループバックテストを可能にするために、前記第１の電力増幅器の前記出力を受けるように前記第２の低ノイズ増幅器を選択的に結合するように構成された第１のループバックスイッチであり、Ｃ４に記載の装置。
［Ｃ６］
前記第２のスイッチは、同時のループバックテストを可能にするために、前記第２の電力増幅器の前記出力を受けるように前記第１の低ノイズ増幅器に選択的に結合するように構成された第２のループバックスイッチであり、Ｃ５に記載の装置。
［Ｃ７］
前記第１の電力増幅器及び前記第２の低ノイズ増幅器は、前記第１のスイッチを介して第１のアンテナに選択的に結合されるように構成され、前記第１の低ノイズ増幅器及び前記第２の電力増幅器は、前記第２のスイッチを介して第２のアンテナに選択的に結合されるように構成される、Ｃ１に記載の装置。
［Ｃ８］
ループバックテストは、前記第１の電力増幅器の前記出力を受けるように前記第２の低ノイズ増幅器が結合されると、可能になる、Ｃ１に記載の装置。
［Ｃ９］
ループバックテストは、前記第２の電力増幅器の前記出力を受けるように前記第１の低ノイズ増幅器が結合されると、可能になる、Ｃ１に記載の装置。
［Ｃ１０］
前記第１のスイッチは、ワイヤレスネットワークを通して信号を送信するために前記第１の電力増幅器を第１のアンテナに選択的に結合するように構成される、Ｃ１に記載の装置。
［Ｃ１１］
前記第１のスイッチは、ワイヤレスネットワークを通して送信された信号を受けるように前記第２の低ノイズ増幅器を第１のアンテナに選択的に結合するように構成される、Ｃ１に記載の装置。
［Ｃ１２］
前記第１の電力増幅器の入力端子に結合され、かつ、前記第１の電力増幅器の出力端子に結合された第１のバイパス回路と、
前記第２の低ノイズ増幅器の入力端子に結合され、かつ、前記第１の低ノイズ増幅器の出力端子に結合された第２のバイパス回路と
を備え
ループバックテスト中、前記第１のバイパス回路及び前記第２のバイパス回路は、利得測定を可能にするために選択的にイネーブルにされる、
Ｃ１に記載の装置。
［Ｃ１３］
前記第１のバイパス回路は、第１のスイッチを備え、前記第２のバイパス回路は、第２のスイッチを備える、Ｃ１２に記載の装置。
［Ｃ１４］
方法であって、
第１の電力増幅器及び第２の低ノイズ増幅器の第１のループバックテストを可能にするために、前記第１の電力増幅器の出力を受けるように前記第２の低ノイズ増幅器を選択的に結合することと、
第２の電力増幅器及び第１の低ノイズ増幅器の第２のループバックテストを可能にするために、前記第２の電力増幅器の出力を受けるように前記第１の低ノイズ増幅器を選択的に結合することと
を備える方法。
［Ｃ１５］
前記第１のループバックテスト中に、前記第１の電力増幅器の特性を決定することと、
前記第１のループバックテスト中に、前記第２の低ノイズ増幅器の特性を決定することと
を更に備える、Ｃ１４に記載の方法。
［Ｃ１６］
第１のアンテナを介した信号送信を可能にするために前記第１の電力増幅器を前記第１のアンテナに選択的に結合することと
第２のアンテナを介した信号受信を可能にするために前記第２の低ノイズ増幅器を前記第２のアンテナに選択的に結合することと
を更に備える、Ｃ１４に記載の方法。
［Ｃ１７］
前記第２の低ノイズ増幅器は、３状態スイッチを介して前記第１の電力増幅器の前記出力を受けるように選択的に結合される、Ｃ１４に記載の装置。
［Ｃ１８］
装置であって、
送信信号を増幅するための第１の手段及び受信信号を増幅するための第１の手段と、
送信信号を増幅するための第２の手段及び受信信号を増幅するための第２の手段と、
前記送信信号を増幅するための前記第１の手段の出力を受けるように前記受信信号を増幅するための前記第２の手段を選択的に結合するための第１の手段と、
前記送信信号を増幅するための前記第２の手段の出力を受けるように前記受信信号を増幅するための前記第１の手段を選択的に結合するための第２の手段と
を備える装置。
［Ｃ１９］
前記選択的に結合するための第１の手段は、３状態スイッチを備える、Ｃ１８に記載の装置。
［Ｃ２０］
前記選択的に結合するための第１の手段は、ループバックスイッチを備える、Ｃ１８に記載の装置。
【図１】
0006479843.tif 000002
【図２】
0006479843.tif 000003
【図３】
0006479843.tif 000004
【図４】
0006479843.tif 000005
【図５】
0006479843.tif 000006
【図６】
0006479843.tif 000007
【図７】
0006479843.tif 000008